(57)【要約】  ゲート駆動回路であって、停電時に第１制御信号を生成するためのプルアップ制御モジュール（１０１，２０１）と、前記第１制御信号の制御でハイレベルを出力するためのプルアップ出力モジュール（１０２，２０２）と、停電時に第２制御信号を生成するためのプルダウン制御モジュール（１０３，２０３）と、前記第２制御信号の制御でローレベルを出力するためのプルダウン出力モジュール（１０４，２０４）とを含む。プルアップ出力モジュール（１０２，２０２）の出力端及びプルダウン出力モジュール（１０４，２０４）の出力端がＮ段目のゲート駆動ユニットの出力端に接続され、停電時に、プルアップ出力モジュール（１０２，２０２）及びプルダウン出力モジュール（１０４，２０４）がＮ段目のゲート駆動ユニットの出力端にハイレベルを出力させる。液晶パネルの使用中に突然停電が発生した場合に、ディスプレイにおける映像を速やかに消去させ、ディスプレイにおいて前の表示画面の残像の表示を防止することができる。【選択図】図１
2021502586.tif 000002
【特許請求の範囲】
【請求項１】
ゲート駆動ユニットを複数段含むゲート駆動回路であって、Ｎ段目のゲート駆動ユニットは、
停電時に第１制御信号を生成するためのプルアップ制御モジュールと、
前記第１制御信号の制御でハイレベルを出力するためのプルアップ出力モジュールと、
停電時に第２制御信号を生成するためのプルダウン制御モジュールと、
前記第２制御信号の制御でローレベルを出力するためのプルダウン出力モジュールと、を含み、
前記プルアップ出力モジュールの出力端及び前記プルダウン出力モジュールの出力端が前記Ｎ段目のゲート駆動ユニットの出力端に接続され、停電時に、前記プルアップ出力モジュール及び前記プルダウン出力モジュールが前記Ｎ段目のゲート駆動ユニットの出力端にハイレベルを出力させることを特徴とするゲート駆動回路。
【請求項２】
前記プルアップ制御モジュールは第１薄膜トランジスタ（ＮＴ１）、第２薄膜トランジスタ（ＮＴ２）、第５薄膜トランジスタ（ＮＴ５）及び第７薄膜トランジスタ（ＮＴ７）を含み、
前記第１薄膜トランジスタ（ＮＴ１）のゲートがＮ−２段目のゲート駆動ユニットの出力信号に接続され、ソースが順方向走査信号に接続され、ドレインが前記第２薄膜トランジスタ（ＮＴ２）のドレインに接続され、
前記第２薄膜トランジスタ（ＮＴ２）のゲートがＮ＋２段目のゲート駆動ユニットの出力信号に接続され、ソースが逆方向走査信号に接続され、
前記第５薄膜トランジスタ（ＮＴ５）のゲートが前記プルダウン制御モジュールの出力端に接続され、ソースが前記第１薄膜トランジスタ（ＮＴ１）のドレインに接続され、ドレインがローレベル信号に接続され、
前記第７薄膜トランジスタ（ＮＴ７）のゲートがハイレベル信号に接続され、ソースが前記第１薄膜トランジスタ（ＮＴ１）のドレインに接続され、ドレインが前記プルアップ制御モジュールの出力端に接続され、
前記プルアップ制御モジュールは停電時にハイレベルの第１制御信号を出力するために用いられ、前記第１制御信号が前記プルアップ出力モジュールをオンにさせるために用いられることを特徴とする請求項１に記載のゲート駆動回路。
【請求項３】
前記プルアップ出力モジュールは、ゲートが前記プルアップ出力モジュールの出力端に接続され、ソースが第１クロック信号に接続され、ドレインが前記Ｎ段目のゲート駆動ユニットの出力端に接続される第９薄膜トランジスタ（ＮＴ９）を含むことを特徴とする請求項１に記載のゲート駆動回路。
【請求項４】
前記プルダウン制御モジュールは第３薄膜トランジスタ（ＮＴ３）、第４薄膜トランジスタ（ＮＴ４）、第６薄膜トランジスタ（ＮＴ６）及び第８薄膜トランジスタ（ＮＴ８）を含み、
前記第３薄膜トランジスタ（ＮＴ３）のゲートが順方向走査信号に接続され、ソースがＮ＋１段目のクロック信号に接続され、ドレインが前記第８薄膜トランジスタ（ＮＴ８）のゲートに接続され、
前記第４薄膜トランジスタ（ＮＴ４）のゲートが逆方向走査信号に接続され、ソースがＮ−１段目のクロック信号に接続され、ドレインが前記第８薄膜トランジスタ（ＮＴ８）のゲートに接続され、
前記第６薄膜トランジスタ（ＮＴ６）のゲートが第２薄膜トランジスタ（ＮＴ２）のドレインに接続され、ソースが第８薄膜トランジスタ（ＮＴ８）のドレインに接続され、ドレインがローレベル信号に接続され、
前記第８薄膜トランジスタ（ＮＴ８）のソースが第１グローバル制御信号に接続され、ドレインが前記プルダウン制御モジュールの出力端に接続され、
前記プルダウン制御モジュールは停電時にローレベルの第２制御信号を出力するために用いられ、前記第２制御信号が前記プルダウン出力モジュールをオフにさせるために用いられることを特徴とする請求項１に記載のゲート駆動回路。
【請求項５】
前記プルダウン出力モジュールは、ゲートが第８薄膜トランジスタ（ＮＴ８）のドレインに接続され、ソースがローレベル信号に接続され、ドレインが前記Ｎ段目のゲート駆動ユニットの出力端に接続される第１０薄膜トランジスタ（ＮＴ１０）を含むことを特徴とする請求項１に記載のゲート駆動回路。
【請求項６】
前記Ｎ段目のゲート駆動ユニットは、ゲート及びソースがリセット信号に接続され、ドレインが前記第８薄膜トランジスタ（ＮＴ８）のドレインに接続される第１１薄膜トランジスタ（ＮＴ１１）を含むリセットモジュールをさらに含むことを特徴とする請求項５に記載のゲート駆動回路。
【請求項７】
前記Ｎ段目のゲート駆動ユニットは、ゲートが第２グローバル制御信号に接続され、ソースがローレベル信号に接続され、ドレインが前記Ｎ段目のゲート駆動ユニットの出力端に接続される第１２薄膜トランジスタ（ＮＴ１２）を含むグローバル制御モジュールをさらに含むことを特徴とする請求項６に記載のゲート駆動回路。
【請求項８】
前記Ｎ段目のゲート駆動ユニットは、一端が第１薄膜トランジスタ（ＮＴ１）のドレインに接続され、他端がローレベル信号に接続される第１容量と、一端が第５薄膜トランジスタ（ＮＴ５）のゲートに接続され、他端がローレベル信号に接続される第２容量とを含む電位保持モジュールをさらに含むことを特徴とする請求項７に記載のゲート駆動回路。
【請求項９】
前記ゲート駆動ユニットが正常に動作して順方向走査時に、順方向走査信号が常にハイレベルであり、逆方向走査信号が常にローレベルであり、逆方向走査時に、前記逆方向走査信号が常にハイレベルであり、前記順方向走査信号が常にローレベルであることを特徴とする請求項８に記載のゲート駆動回路。
【請求項１０】
前記ゲート駆動回路の１段目のゲート駆動ユニット及び２段目のゲート駆動ユニットにおいて、第１薄膜トランジスタ（ＮＴ１）のゲートがいずれも起動信号に接続され、前記ゲート駆動回路の最後から２段目のゲート駆動ユニット及び最終段のゲート駆動ユニットにおいて、第２薄膜トランジスタ（ＮＴ２）のゲートがいずれも前記起動信号に接続されることを特徴とする請求項１に記載のゲート駆動回路。
【発明の詳細な説明】
【技術分野】
【０００１】
本発明は、表示技術分野に関し、特にゲート駆動回路に関する。
【背景技術】
【０００２】
薄膜トランジスタ液晶ディスプレイ（Ｔｈｉｎ  ｆｉｌｍ  ｔｒａｎｓｉｓｔｏｒ  ｌｉｑｕｉｄ  ｃｒｙｓｔａｌ  ｄｉｓｐｌａｙ，ＴＦＴ−ＬＣＤ）は、現在市販されている主流のディスプレイとなっており、その基本原理はディスプレイにおける液晶を電圧の駆動により偏向させ、光の伝播方向を変更させることによってディスプレイに異なる色を表示させることである。アレイ基板ゲート駆動（Ｇａｔｅ  Ｄｒｉｖｅｒ  Ｏｎ  Ａｒｒａｙ，ＧＯＡ）回路は、ゲート線を線順次走査することを実現するために、ゲート駆動回路を液晶表示パネルのアレイ基板に集積する技術である。実際の使用においては、液晶表示の電源を切った後に、液晶パネルは画素容量にレベルが残留することにより、残像現象が発生することがある。従来技術において、該現象の発生を防止するために有効なメカニズムが欠けている。
【発明の概要】
【発明が解決しようとする課題】
【０００３】
本発明の実施例が解決しようとする技術的問題は、液晶パネルに停電が発生した場合に、ディスプレイにおける映像を速やかに消去することができるゲート駆動回路を提供することにある。
【課題を解決するための手段】
【０００４】
本発明は、ゲート駆動ユニットを複数段含むゲート駆動回路を提供し、Ｎ段目のゲート駆動ユニットは、
停電時に第１制御信号を生成するためのプルアップ制御モジュールと、
前記第１制御信号の制御でハイレベルを出力するためのプルアップ出力モジュールと、
停電時に第２制御信号を生成するためのプルダウン制御モジュールと、
前記第２制御信号の制御でローレベルを出力するためのプルダウン出力モジュールと、を含む。
【０００５】
前記プルアップ出力モジュールの出力端及び前記プルダウン出力モジュールの出力端が前記Ｎ段目のゲート駆動ユニットの出力端に接続され、停電時に、前記プルアップ出力モジュール及び前記プルダウン出力モジュールが前記Ｎ段目のゲート駆動ユニットの出力端にハイレベルを出力させる。
【０００６】
前記プルアップ制御モジュールは、第１薄膜トランジスタ（ＮＴ１）、第２薄膜トランジスタ（ＮＴ２）、第５薄膜トランジスタ（ＮＴ５）及び第７薄膜トランジスタ（ＮＴ７）を含み、前記第１薄膜トランジスタ（ＮＴ１）のゲートがＮ−２段目のゲート駆動回路の出力信号に接続され、ソースが順方向走査信号に接続され、ドレインが前記第２薄膜トランジスタ（ＮＴ２）のドレインに接続され、前記第２薄膜トランジスタ（ＮＴ２）のゲートがＮ＋２段目のゲート駆動回路の出力信号に接続され、ソースが逆方向走査信号に接続され、前記第５薄膜トランジスタ（ＮＴ５）のゲートが前記プルダウン制御モジュールの出力端に接続され、ソースが前記第１薄膜トランジスタ（ＮＴ１）のドレインに接続され、ドレインがローレベル信号に接続され、前記第７薄膜トランジスタ（ＮＴ７）のゲートがハイレベル信号に接続され、ソースが前記第１薄膜トランジスタ（ＮＴ１）のドレインに接続され、ドレインが前記プルアップ制御モジュールの出力端に接続され、前記プルアップ制御モジュールが停電時にハイレベルの第１制御信号を出力するために用いられ、前記第１制御信号が前記プルアップ出力モジュールをオンにさせるために用いられる。
【０００７】
前記プルアップ出力モジュールは、ゲートが前記第７薄膜トランジスタ（ＮＴ７）のドレインに接続され、ソースが第１クロック信号に接続され、ドレインが前記Ｎ段目のゲート駆動ユニットの出力端に接続される第９薄膜トランジスタ（ＮＴ９）を含む。
【０００８】
前記プルダウン制御モジュールは、第３薄膜トランジスタ（ＮＴ３）、第４薄膜トランジスタ（ＮＴ４）、第６薄膜トランジスタ（ＮＴ６）及び第８薄膜トランジスタ（ＮＴ８）を含み、前記第３薄膜トランジスタ（ＮＴ３）のゲートが前記順方向走査信号に接続され、ソースがＮ＋１段目のクロック信号に接続され、ドレインが前記第８薄膜トランジスタ（ＮＴ８）のゲートに接続され、前記第４薄膜トランジスタ（ＮＴ４）のゲートが前記逆方向走査信号に接続され、ソースがＮ−１段目のクロック信号に接続され、ドレインが前記第８薄膜トランジスタ（ＮＴ８）のゲートに接続され、前記第６薄膜トランジスタ（ＮＴ６）のゲートが前記第２薄膜トランジスタ（ＮＴ２）のドレインに接続され、ソースが第８薄膜トランジスタ（ＮＴ８）のドレインに接続され、ドレインがローレベル信号に接続され、前記第８薄膜トランジスタ（ＮＴ８）のソースが第１グローバル制御信号に接続され、ドレインが前記プルダウン制御モジュールの出力端に接続される。前記プルダウン制御モジュールは停電時にローレベルの第２制御信号を出力するために用いられ、前記第２制御信号が前記プルダウン出力モジュールをオフにさせるために用いられる。
【０００９】
前記プルダウン出力モジュールは、ゲートが前記第８薄膜トランジスタ（ＮＴ８）のドレインに接続され、ソースがローレベル信号に接続され、ドレインが前記Ｎ段目のゲート駆動ユニットの出力端に接続される第１０薄膜トランジスタ（ＮＴ１０）を含み、前記プルダウン出力モジュールが前記第２制御信号の制御でオフにされ、出力する信号がない。
【００１０】
所望により、前記Ｎ段目のゲート駆動ユニットがリセットモジュールをさらに含み、前記Ｎ段目のゲート駆動ユニットがリセットモジュールをさらに含み、前記リセットモジュールは、ゲート及びソースがリセット信号に接続され、ドレインが前記第８薄膜トランジスタ（ＮＴ８）のドレインに接続される第１１薄膜トランジスタ（ＮＴ１１）を含む。
【００１１】
所望により、前記Ｎ段目のゲート駆動ユニットは、ゲートが第２グローバル制御信号に接続され、ソースがローレベル信号に接続され、ドレインが前記Ｎ段目のゲート駆動ユニットの出力端に接続される第１２薄膜トランジスタ（ＮＴ１２）を含むグローバル制御モジュールをさらに含む。
【００１２】
所望により、前記Ｎ段目のゲート駆動ユニットは、一端が前記第１薄膜トランジスタ（ＮＴ１）のドレインに接続され、他端がローレベル信号に接続される第１容量と、一端が前記第５薄膜トランジスタ（ＮＴ５）のゲートに接続され、他端がローレベル信号に接続される第２容量とを含む電位保持モジュールをさらに含む。
【００１３】
所望により、前記ゲート駆動ユニットが正常に動作して順方向走査時に、前記順方向走査信号が常にハイレベルであり、前記逆方向走査信号が常にローレベルであり、逆方向走査時に、前記逆方向走査信号が常にハイレベルであり、前記順方向走査信号が常にローレベルである。
【００１４】
所望により、前記ゲート駆動回路の１段目のゲート駆動ユニット及び２段目のゲート駆動ユニットにおいて、前記第１薄膜トランジスタ（ＮＴ１）のゲートがいずれも起動信号に接続され、前記ゲート駆動回路の最後から２段目のゲート駆動ユニット及び最終段のゲート駆動ユニットにおいて、前記第２薄膜トランジスタ（ＮＴ２）のゲートがいずれも前記起動信号に接続される。
【発明の効果】
【００１５】
本発明の実施例を実施することにより、液晶ディスプレイの停電時に、前記プルアップ制御モジュールはハイレベルの第１制御信号を生成し、前記プルアップ出力モジュールをオンにさせてハイレベルを出力するように制御し、同時に前記プルダウン制御モジュールはローレベルの第２制御信号を生成し、前記プルダウン出力モジュールをオフにさせて信号を出力しないように制御することにより、前記プルアップ出力モジュール及びプルダウン出力モジュールに接続された前記Ｎ段目のゲート駆動回路の出力端にプルアップ出力モジュールによって出力されたハイレベル信号を出力させる。本発明の実施例を実施することにより、液晶パネルの使用中に突然停電が発生した場合に、停電時のゲート線全開（Ａｌｌ  Ｇａｔｅ  Ｏｎ）機能を実現することで、液晶パネルに停電が発生した場合に、ディスプレイにおける映像を速やかに消去させ、ディスプレイにおいて前の表示画面の残像の表示を防止することができる。
【図面の簡単な説明】
【００１６】
以下、本発明の実施例又は従来技術の技術的手段をより明確に説明するために、実施例又は従来技術の説明に使用する添付図面を簡単に説明し、以下に説明する図面は、本発明の幾つかの実施例に過ぎず、当業者であれば創造的努力なしにこれらの図面から他の図面を導き出すこともできることは明らかである。
【図１】図１は本発明の第１実施例に係るゲート駆動ユニットの機能ブロック図である。
【図２】図２は本発明の第２実施例に係るゲート駆動ユニットの回路図である。
【図３】図３は本発明の第２実施例におけるゲート駆動ユニットの信号タイミングチャートである。
【発明を実施するための形態】
【００１７】
以下、本発明の実施例における添付図面を参照しながら、本発明の実施例における技術的手段を明確かつ完全に説明する。説明される実施例は本発明の実施例のすべてではなく、その一部にすぎないことは明らかである。本発明の実施例に基づき、当業者が創造的な労働を行うことなく得られるすべての他の実施例は、いずれも本発明の保護範囲に属する。
【００１８】
なお、本発明の実施例で用いられる用語は、特定の実施例を説明する目的のためのものにすぎず、本発明を限定することを意図とするものではない。本発明の実施例及び添付の特許請求の範囲で使用される単数形の「１種」、「前記」及び「該」は、文脈が他の意味を明確に示さない限り、複数形も含むことを意図している。本明細書で使用される「及び／又は」という用語は、１つ以上の関連付けられたリスト項目の任意の又は全ての可能な組み合わせを指し、かつそれらを含むことを更に理解されたい。
【００１９】
本発明の明細書及び特許請求の範囲、並びに上記の図面における「含む」及び「有する」という用語、並びにそれらの任意の変形は、非排他的な包含を包含することを意図している。例えば、一連のステップ又はユニットを含むプロセス、方法、システム、製品又は装置は、記載されたステップ又はユニットに限定されず、所望により、さらに記載されていないステップ又はユニットを含んでいてもよく、又は、これらのプロセス、方法、製品又は装置に固有の他のステップ又はユニットを含んでいてもよい。
【００２０】
なお、以下では、本発明の実施例について詳細に説明するが、前記実施例の添付の図面において、同一又は類似の符号は、同一又は類似の要素を示すか、又は同一又は類似の信号を示すか、又は同一又は類似の機能を有する要素若しくは信号を示す。以下、図面を参照して説明する実施例は例示的なものであり、本発明を説明するためのものであり、本発明を限定するものとして解釈されるべきではない。
【００２１】
以下の明細書は、本発明の異なる構造を実現するための多くの異なる実施例又は例を提供する。本発明の開示を簡略化するために、具体例の構成要素及び配置について以下に説明する。もちろん、これらは例示に過ぎず、本発明を限定することを意図していない。さらに、本発明は、異なる例において、数字及び／又はアルファベットを繰り返し参照してもよい。この繰り返しは、簡略化及び明瞭化の目的のためであり、それ自体は、論じられる様々な実施例及び／又は設定間の関係を示すものではない。
【００２２】
本発明の説明では、特に指定及び限定されない限り、「取り付け」、「連なる」、「接続」、「接する」という用語は広義に理解されるべきであり、例えば、機械的な接続又は電気的な接続であってもよいし、２つの要素内部の連通であってもよいし、直接的な接続であってもよいし、中間媒体を介して間接的に接続されていてもよいし、当業者にとっては、上記の用語の具体的な意味を具体的な状況に応じて理解することができる。
【００２３】
本発明の第１実施例は、同じゲート駆動ユニットを複数段含むゲート駆動回路を提供し、Ｎを正の整数とし、Ｎ段目のゲート駆動ユニットが図１を参照すると、図１は本発明の実施例に係るゲート駆動ユニットの機能ブロック図であり、図１に示すように、本発明の実施例における前記ゲート駆動ユニットは、プルアップ制御モジュール１０１、プルアップ出力モジュール１０２、プルダウン制御モジュール１０３及びプルダウン出力モジュール１０４を含む。
【００２４】
前記プルアップ制御モジュール１０１は、ゲート駆動回路の停電時に、第１制御信号を生成するために用いられ、前記第１制御信号は、前記プルアップ出力モジュール１０２のオンを制御するためのハイレベル信号である。
【００２５】
前記プルアップ出力モジュール１０２は、前記ゲート駆動回路の停電時に、前記第１制御信号の作用でハイレベルを前記Ｎ段目のゲート駆動ユニットの出力端に出力するために用いられる。
【００２６】
前記プルダウン制御モジュール１０３は、前記ゲート駆動回路の停電時に、第２制御信号を生成するために用いられ、前記第２制御信号は、前記プルダウン出力モジュール１０３のオフを制御するためのローレベル信号である。
【００２７】
前記プルダウン出力モジュール１０４は、前記ゲート駆動回路の停電時に、前記第２制御信号の作用でローレベルを前記Ｎ段目のゲート駆動ユニットの出力端に出力するために用いられる。
【００２８】
前記プルアップ制御モジュール１０１が前記プルダウン制御モジュール１０３、前記プルアップ出力モジュール１０２に接続され、前記プルアップ出力モジュール１０２が前記プルダウン出力モジュール１０４に接続され、前記プルダウン制御モジュール１０３が前記プルダウン出力モジュール１０４に接続され、前記プルアップ出力モジュール及び前記プルダウン出力モジュールの出力端が前記Ｎ段目のゲート駆動ユニットの出力端に接続される。
【００２９】
前記Ｎ段目のプルアップ制御モジュール１０１の入力信号は順方向走査信号Ｕ２Ｄ、逆方向走査信号Ｄ２Ｕ、Ｎ−２段目のゲート駆動回路の出力信号Ｇ（ｎ−２）、Ｎ＋２段目のゲート駆動回路の出力信号Ｇ（ｎ＋２）及びハイレベル信号ＶＧＨを含み、前記プルアップ出力モジュール１０２の入力信号は前記第１制御信号及びＮ段目のクロック信号ＣＫ（ｎ）を含み、前記プルダウン制御モジュール１０３の入力信号は前記順方向走査信号Ｕ２Ｄ、前記逆方向走査信号Ｄ２Ｕ、Ｎ＋１段目のクロック信号ＣＫ（ｎ＋１）、Ｎ−１段目のクロック信号ＣＫ（ｎ−１）、第１グローバル制御信号ＧＡＳ１及びローレベル信号ＶＧＬを含み、前記プルダウン出力モジュール１０４の入力信号は前記プルダウン制御モジュール１０３から出力される前記第２制御信号及び前記ローレベル信号ＶＧＬを含む。
【００３０】
ディスプレイが画面を正常に表示すると、前記Ｎ段目のゲート駆動回路は順方向走査時に、前記順方向走査信号Ｕ２Ｄは常にハイレベル信号であり、前記逆方向走査信号Ｄ２Ｕ及びクロック信号ＣＫ（Ｎ段目のクロック信号ＣＫ（ｎ）、Ｎ＋１段目のクロック信号ＣＫ（ｎ＋１）及びＮ−１段目のクロック信号ＣＫ（ｎ−１）を含む）は常にローレベル信号であり、ディスプレイが画面を正常に表示する時に、前記ゲート駆動回路の起動信号（Ｓｔａｒｔ  Ｖｅｒｔｉｃａｌ，ＳＴＶ）信号は常にローレベル信号であることで、前記ゲート駆動回路の１段当たりのゲート駆動ユニットはいずれもローレベル信号を出力し、前記ＳＴＶ信号が前記ゲート駆動回路の停電時に、ハイレベル信号に変換され、前記ゲート駆動回路を起動し、前記ＳＴＶ信号が０段目のゲート駆動ユニットの出力信号に相当し、１段目のゲート駆動ユニットの第１プルアップ制御モジュール及び２段目のゲート駆動ユニットの第１プルアップ制御モジュールに入力される。
【００３１】
前記ディスプレイが正常に表示する際に停電が発生すると、この場合に前記ＳＴＶ信号はローレベル信号からハイレベル信号に変換され、前記ゲート駆動回路を起動し、前記順方向走査信号Ｕ２Ｄがハイレベル信号を維持し、前記逆方向走査信号Ｄ２Ｕ及び前記クロック信号ＣＫがローレベル信号からハイレベル信号に変換され、前記第１制御信号ＧＡＳ１がハイレベル信号からローレベル信号に変換される。
【００３２】
前記停電の場合に、前記信号のハイ・ローレベルの変化により、前記プルアップ制御モジュール１０１に、前記順方向走査信号Ｕ２Ｄ、前記Ｎ−２段目のゲート駆動回路の出力信号Ｇ（ｎ−２）、前記Ｎ＋２段目のゲート駆動回路の出力信号Ｇ（ｎ＋２）及び前記ハイレベル信号ＶＧＨの作用で、ハイレベルの前記第１制御信号を出力させる。前記プルダウン制御モジュール１０３は前記順方向走査信号Ｕ２Ｄ、前記逆方向走査信号Ｄ２Ｕ、前記Ｎ＋１段目のクロック信号ＣＫ（ｎ＋１）、前記Ｎ−１段目のクロック信号ＣＫ（ｎ−１）、前記第１グローバル制御信号ＧＡＳ１及び前記ローレベル信号ＶＧＬの作用でローレベルの前記第２制御信号を出力する。前記プルアップ出力モジュール１０２は前記第１制御信号の作用でオンにされ、ハイレベルの前記Ｎ段目のクロック信号ＣＫ（ｎ）を前記Ｎ段目のゲート駆動回路の出力端に出力させ、前記プルダウン出力モジュール１０４は前記第２制御信号の作用でオフにされ、ローレベル信号ＶＧＬを前記Ｎ段目のゲート駆動回路の出力端に出力することができなくなることで、Ｎ段目のゲート駆動回路の出力端にハイレベルの信号Ｇ（ｎ）を出力させる。同様に、前記ゲート駆動回路の各段のゲート駆動ユニットはいずれもハイレベル信号を出力することにより、ゲート線全開（Ａｌｌ  Ｇａｔｅ  Ｏｎ）機能を実現し、前記ディスプレイが残像現象の発生を防止する。
【００３３】
本発明の実施例を実施することにより、液晶ディスプレイの停電時に、前記プルアップ制御モジュールはハイレベルの第１制御信号を生成し、前記プルアップ出力モジュールをオンにさせてハイレベルを出力するように制御し、同時に前記プルダウン制御モジュールはローレベルの第２制御信号を生成し、前記プルダウン出力モジュールをオフにさせて信号を出力しないように制御することにより、前記プルアップ出力モジュール及びプルダウン出力モジュールに接続された前記Ｎ段目のゲート駆動回路の出力端にプルアップ出力モジュールによって出力されたハイレベル信号を出力させることが分かる。本発明の実施例を実施することにより、液晶パネルの使用中に突然停電が発生した場合に、Ａｌｌ  Ｇａｔｅ  Ｏｎ機能を実現することで、ディスプレイにおける映像を速やかに消去させ、ディスプレイにおいて前の表示画面の残像の表示を防止する。
【００３４】
本発明の第２実施例は、同じゲート駆動ユニットを複数段含むゲート駆動回路を提供し、Ｎを正の整数とし、図２は本発明の第２実施例に係るゲート駆動ユニットの回路図であり、図２に示すように、前記Ｎ段目のゲート駆動ユニットは、プルアップ制御モジュール２０１、プルアップ出力モジュール２０２、プルダウン制御モジュール２０３、プルダウン出力モジュール２０４、リセットモジュール２０５、グローバル制御モジュール２０６及び電位保持モジュール２０７を含む。
【００３５】
前記プルアップ制御モジュール２０１は、ゲート駆動回路の停電時に、第１制御信号を生成するために用いられ、前記第１制御信号は、停電時に前記プルアップ出力モジュール２０２のオンを制御するためのハイレベル信号である。
【００３６】
前記プルアップ出力モジュール２０２は、前記ゲート駆動回路の停電時に、前記第１制御信号の作用でハイレベルを前記Ｎ段目のゲート駆動ユニットの出力端に出力するために用いられる。
【００３７】
前記プルダウン制御モジュール２０３は、前記ゲート駆動回路の停電時に、第２制御信号を生成するために用いられ、前記第２制御信号は、停電時に前記プルダウン出力モジュール２０３のオフを制御するためのローレベル信号である。
【００３８】
前記プルダウン出力モジュール２０４は、前記ゲート駆動回路の停電時に、前記第２制御信号の作用でローレベルを前記Ｎ段目のゲート駆動ユニットの出力端に出力するために用いられる。
【００３９】
前記リセットモジュール２０５は、前記リセット信号Ｒｅｓｅｔの作用で、前記プルダウン出力モジュール２０４のオン・オフを制御するために用いられる。
【００４０】
前記グローバル制御モジュール２０６は、前記第２グローバル制御信号ＧＡＳ２の作用で、前記Ｎ段目のゲート駆動回路の出力信号を制御するために用いられる。
【００４１】
前記電位保持モジュール２０７は、前記Ｎ段目のゲート駆動回路のＰ点及びＱ点の電位を保持するために用いられる。
【００４２】
前記プルアップ制御モジュール２０１、前記プルアップ出力モジュール２０２、前記プルダウン制御モジュール２０３及び前記電位保持モジュール２０７がＱ点に接続され、前記プルアップ制御モジュール２０１、前記プルダウン制御モジュール２０３、前記プルダウン出力モジュール２０４、前記リセットモジュール２０５及び前記電位保持モジュール２０７がＰ点に接続され、前記プルアップ出力モジュール２０２、前記プルダウン出力モジュール２０３及び前記グローバル制御モジュール２０６の出力端が前記Ｎ段目のゲート駆動ユニットの出力端に接続される。
【００４３】
前記Ｎ段目のプルアップ制御モジュール２０１の入力信号は順方向走査信号Ｕ２Ｄ、逆方向走査信号Ｄ２Ｕ、Ｎ−２段目のゲート駆動回路の出力信号Ｇ（ｎ−２）、Ｎ＋２段目のゲート駆動回路の出力信号Ｇ（ｎ＋２）及びハイレベル信号ＶＧＨを含み、前記プルアップ出力モジュール２０２の入力信号は前記第１制御信号及びＮ段目のクロック信号ＣＫ（ｎ）を含み、前記プルダウン制御モジュール２０３の入力信号は前記順方向走査信号Ｕ２Ｄ、前記逆方向走査信号Ｄ２Ｕ、Ｎ＋１段目のクロック信号ＣＫ（ｎ＋１）、Ｎ−１段目のクロック信号ＣＫ（ｎ−１）、第１グローバル制御信号ＧＡＳ１及びローレベル信号ＶＧＬを含み、前記プルダウン出力モジュール２０４の入力信号は前記プルダウン制御モジュール２０３から出力される前記第２制御信号及び前記ローレベル信号ＶＧＬを含み、前記リセット制御モジュール２０５の入力信号は前記リセット信号Ｒｅｓｅｔを含み、前記グローバル制御モジュール２０６の入力信号は前記第２グローバル制御信号ＧＡＳ２及び前記ローレベル信号ＶＧＬを含み、前記電位保持モジュールの入力信号は前記ローレベル信号ＶＧＬを含む。
【００４４】
ディスプレイが画面を正常に表示すると、前記Ｎ段目のゲート駆動回路は順方向走査時に、前記順方向走査信号Ｕ２Ｄ及び前記第１グローバル制御信号ＧＡＳ１は常にハイレベル信号であり、前記逆方向走査信号Ｄ２Ｕ及びクロック信号ＣＫ（Ｎ段目のクロック信号ＣＫ（ｎ）、Ｎ＋１段目のクロック信号ＣＫ（ｎ＋１）及びＮ−１段目のクロック信号ＣＫ（ｎ−１）を含む）、前記第２グローバル制御信号ＧＡＳ２及び前記リセット信号Ｒｅｓｅｔは常にローレベル信号であり、ディスプレイが画面を正常に表示する時に、前記ゲート駆動回路の起動信号（Ｓｔａｒｔ  Ｖｅｒｔｉｃａｌ，ＳＴＶ）信号は常にローレベル信号であることで、前記ゲート駆動回路の１段当たりのゲート駆動ユニットはいずれもローレベル信号を出力し、前記ＳＴＶ信号が前記ゲート駆動回路の停電時に、ハイレベル信号に変換され、前記ゲート駆動回路を起動し、前記ＳＴＶ信号が０段目のゲート駆動ユニットの出力信号に相当し、１段目のゲート駆動ユニットの第１プルアップ制御モジュール及び２段目のゲート駆動ユニットの第１プルアップ制御モジュールに入力される。
【００４５】
前記ディスプレイが正常に表示する際に停電が発生すると、この場合に前記ＳＴＶ信号はローレベル信号からハイレベル信号に変換され、前記ゲート駆動回路を起動し、前記順方向走査信号Ｕ２Ｄがハイレベル信号を維持し、前記第２グローバル制御信号ＧＡＳ２及び前記リセット信号Ｒｅｓｅｔがローレベルを維持し、前記逆方向走査信号Ｄ２Ｕ及び前記クロック信号ＣＫがローレベル信号からハイレベル信号に変換され、前記第１制御信号ＧＡＳ１がハイレベル信号からローレベル信号に変換される。
【００４６】
前記停電の場合に、前記信号のハイ・ローレベルの変化により、前記プルアップ制御モジュール１０１に、前記順方向走査信号Ｕ２Ｄ、前記Ｎ−２段目のゲート駆動回路の出力信号Ｇ（ｎ−２）、前記Ｎ＋２段目のゲート駆動回路の出力信号Ｇ（ｎ＋２）及び前記ハイレベル信号ＶＧＨの作用で、ハイレベルの前記第１制御信号を出力させる。前記プルダウン制御モジュール１０３は前記順方向走査信号Ｕ２Ｄ、前記逆方向走査信号Ｄ２Ｕ、前記Ｎ＋１段目のクロック信号ＣＫ（ｎ＋１）、前記Ｎ−１段目のクロック信号ＣＫ（ｎ−１）、前記第１グローバル制御信号ＧＡＳ１及び前記ローレベル信号ＶＧＬの作用でローレベルの前記第２制御信号を出力する。前記プルアップ出力モジュール１０２は前記第１制御信号の作用でオンにされ、ハイレベルの前記Ｎ段目のクロック信号ＣＫ（ｎ）を前記Ｎ段目のゲート駆動回路の出力端に出力させ、前記プルダウン出力モジュール１０４は前記第２制御信号の作用でオフにされ、ローレベル信号ＶＧＬを前記Ｎ段目のゲート駆動回路の出力端に出力することができなくなることで、Ｎ段目のゲート駆動回路の出力端にハイレベルの信号Ｇ（ｎ）を出力させる。同様に、前記ゲート駆動回路の各段のゲート駆動ユニットはいずれもハイレベル信号を出力することにより、ゲート線全開（Ａｌｌ  Ｇａｔｅ  Ｏｎ）機能を実現し、液晶パネルに停電が発生した場合に、ディスプレイにおける映像を速やかに消去させ、ディスプレイにおいて前の表示画面の残像の表示を防止する。
【００４７】
次に図２を参照して前記Ｎ段目のゲート駆動ユニット及びその各モジュールについて具体的に説明する。
【００４８】
具体的には、前記プルアップ制御モジュール２０１は第１薄膜トランジスタＮＴ１、第２薄膜トランジスタＮＴ２、第５薄膜トランジスタＮＴ５及び第７薄膜トランジスタＮＴ７を含み、前記第７薄膜トランジスタＮＴ７のドレインが前記プルアップ制御モジュール２０１の出力端である。
【００４９】
前記第１薄膜トランジスタＮＴ１のゲートがＮ−２段目のゲート駆動回路の出力信号（Ｇ（ｎ−２））に接続され、ソースが順方向走査信号（Ｕ２Ｄ）に接続され、ドレインが前記第２薄膜トランジスタＮＴ２のドレインに接続され、前記第２薄膜トランジスタＮＴ２のゲートがＮ＋２段目のゲート駆動回路の出力信号（Ｇ（ｎ＋２））に接続され、ソースが逆方向走査信号（Ｄ２Ｕ）に接続され、前記第５薄膜トランジスタＮＴ５のゲートが前記プルダウン制御モジュールの出力端に接続され、ソースが前記第１薄膜トランジスタＮＴ１のドレインに接続され、ドレインが前記ローレベル信号（ＶＧＬ）に接続され、前記第７薄膜トランジスタＮＴ７のゲートがハイレベル信号（ＶＧＨ）に接続され、ソースが前記第１薄膜トランジスタＮＴ１のドレインに接続され、ドレインが前記プルアップ制御モジュールの出力端に接続される。
【００５０】
前記プルアップ出力モジュール２０２は第９薄膜トランジスタＮＴ９を含む。前記第９薄膜トランジスタＮＴ９はゲートが前記プルアップ出力モジュールの出力端に接続され、ソースが前記第１クロック信号ＣＫ（ｎ）に接続され、ドレインが前記Ｎ段目のゲート駆動回路の出力端に接続される。
【００５１】
前記プルダウン制御モジュール２０３は第３薄膜トランジスタＮＴ３、第４薄膜トランジスタＮＴ４、第６薄膜トランジスタＮＴ６及び第８薄膜トランジスタＮＴ８を含み、前記第６薄膜トランジスタＮＴ６及び前記第８薄膜トランジスタＮＴ８のドレインが前記プルダウン制御モジュール２０３の出力端として接続される。前記第３薄膜トランジスタＮＴ３のゲートが前記順方向走査信号（Ｕ２Ｄ）に接続され、ソースがＮ＋１段目のクロック信号（ＣＫ（ｎ＋１））に接続され、ドレインが前記第８薄膜トランジスタＮＴ８のゲートに接続され、前記第４薄膜トランジスタＮＴ４のゲートが前記逆方向走査信号（Ｄ２Ｕ）に接続され、ソースがＮ−１段目のクロック信号（ＣＫ（ｎ−１））に接続され、ドレインが前記第８薄膜トランジスタＮＴ８のゲートに接続され、前記第６薄膜トランジスタＮＴ６のゲートが前記第２薄膜トランジスタＮＴ２のドレインに接続され、ソースが第８薄膜トランジスタＮＴ８のドレインに接続され、ドレインがローレベル信号（ＶＧＬ）に接続され、前記第８薄膜トランジスタＮＴ８のゲートが前記第３薄膜トランジスタＮＴ３及び前記第４薄膜トランジスタＮＴ４のドレインに接続され、ソースが第１グローバル制御信号（ＧＡＳ１）に接続され、ドレインが前記第６薄膜トランジスタＮＴ６のドレインに接続される。
【００５２】
前記プルダウン出力モジュールは、ゲートが前記第６薄膜トランジスタＮＴ６及び前記第８薄膜トランジスタＮＴ８のドレインに接続され、ソースが前記ローレベル信号（ＶＧＬ）に接続され、ドレインが前記Ｎ段目のゲート駆動回路の出力端に接続される第１０薄膜トランジスタＮＴ１０を含む。
【００５３】
前記リセットモジュール２０５は、ゲート及びソースが前記リセット信号Ｒｅｓｅｔに接続され、ドレインが前記第１０薄膜トランジスタＮＴ１０のゲートに接続される第１１薄膜トランジスタＮＴ１１を含む。
【００５４】
前記グローバル制御モジュール２０６は、ゲートが前記第２グローバル制御信号ＧＡＳ２に接続され、ソースが前記ローレベル信号ＶＧＬに接続され、ドレインが前記Ｎ段目のゲート駆動回路の出力端に接続される第１２薄膜トランジスタＮＴ１２を含む。
【００５５】
前記電位保持モジュール２０７は、一端が前記第１薄膜トランジスタＮＴ１のドレインに接続され、他端が前記ローレベル信号ＶＧＬに接続される第１容量Ｃ１と、一端が前記第８薄膜トランジスタＮＴ８のドレインに接続され、他端が前記ローレベル信号ＶＧＬに接続される第２容量Ｃ２とを含む。
【００５６】
図２に示すＮ段目のゲート駆動ユニットの具体的な結線図と、図３に示す本発明の第２実施例におけるゲート駆動ユニットの信号タイミングチャートとを参照して、前記Ｎ段目のゲート駆動ユニットの前記信号タイミング制御作用での動作過程について説明する。
【００５７】
図３に示す第１タイミング段階において、ディスプレイが正常に動作して画面を表示し、前記ゲート駆動回路の起動信号（Ｓｔａｒｔ  Ｖｅｒｔｉｃａｌ，ＳＴＶ）、前記逆方向走査信号Ｄ２Ｕ、クロック信号ＣＫ（Ｎ段目のクロック信号ＣＫ（ｎ）、Ｎ＋１段目のクロック信号ＣＫ（ｎ＋１）及びＮ−１段目のクロック信号ＣＫ（ｎ−１）を含む）、前記第２グローバル制御信号ＧＡＳ２及び前記リセット信号Ｒｅｓｅｔは常に常にローレベルであり、前記ＳＴＶ信号が１段目のゲート駆動ユニット及び２段目のゲート駆動ユニットにおける第１薄膜トランジスタＮＴ１のゲートに接続される。前記ＳＴＶ信号がローレベルであるため、前記１段目のゲート駆動ユニット及び前記２段目のゲート駆動ユニットにおいて、前記第１薄膜トランジスタＮＴ１がオフ状態とされ、前記１段目のゲート駆動ユニット及び前記２段目のゲート駆動ユニットに対応するプルアップ制御ユニットから出力されるレベル信号がなく、前記１段目のゲート駆動ユニット及び前記２段目のゲート駆動ユニットに対応するプルアップ出力ユニットをオフ状態にさせ、前記１段目のゲート駆動ユニット及び前記２段目のゲート駆動ユニットの出力端に出力する信号がない。
【００５８】
ディスプレイが正常に動作して画面を表示する際に、前記クロック信号ＣＫ及び前記リセット信号Ｒｅｓｅｔがローレベルであるため、前記１段目のゲート駆動ユニット及び前記２段目のゲート駆動ユニットにおける第８薄膜トランジスタＮＴ８及び第１１薄膜トランジスタＮＴ１１がオフ状態とされ、前記１段目のゲート駆動ユニット及び前記２段目のゲート駆動ユニットに対応するプルダウン制御ユニットから出力されるレベル信号がなく、前記１段目のゲート駆動ユニット及び前記２段目のゲート駆動ユニットに対応するプルダウン出力ユニットをオフ状態にさせ、前記１段目のゲート駆動ユニット及び前記２段目のゲート駆動ユニットの出力端に出力する信号がないことを理解できる。したがって、前記１段目のゲート駆動ユニット及び前記２段目のゲート駆動ユニットの出力端から出力される信号がなく、そのため前記ディスプレイが正常に動作して画面を表示する時に、前記Ｎ段目のゲート駆動ユニットにおける前記第１薄膜トランジスタＮＴ１のゲート入力信号Ｇ（ｎ−２）がゼロとなると、前記Ｎ段目のゲート駆動ユニットから出力される信号がないと推定される。
【００５９】
前記ディスプレイが正常に画面を表示する際に停電が発生すると、図３に示すような第２タイミング段階から分かるように、前記ＳＴＶ信号はローレベル信号からハイレベル信号に変換され、前記ゲート駆動回路を起動し、前記順方向走査信号Ｕ２Ｄがハイレベル信号を維持し、前記第２グローバル制御信号ＧＡＳ２及び前記リセット信号Ｒｅｓｅｔがローレベルを維持し、前記逆方向走査信号Ｄ２Ｕ及び前記クロック信号ＣＫがローレベル信号からハイレベル信号に変換され、前記第１グローバル制御信号ＧＡＳ１がハイレベル信号からローレベル信号に変換される。前記１段目のゲート駆動ユニット及び前記２段目のゲート駆動ユニットにおいて、前記第１薄膜トランジスタＮＴ１がオン状態にされ、第７薄膜トランジスタＮＴ７が前記ＶＧＨ信号でもオン状態にされ、ハイレベルの前記順方向走査信号Ｕ２Ｄが前記第１薄膜トランジスタＮＴ１及び前記第７薄膜トランジスタＮＴ７を介して第９薄膜トランジスタＮＴ９のゲートに流れ込み、前記第９薄膜トランジスタＮＴ９をオンにさせ、さらに前記ハイレベルのクロック信号ＣＫ信号が前記第９薄膜トランジスタＮＴ９を介して前記１段目のゲート駆動ユニット及び前記２段目のゲート駆動ユニットの出力端に流れ込む。
【００６０】
前記逆方向走査信号Ｄ２Ｕがハイレベルに変換されるため、前記１段目のゲート駆動ユニット及び前記２段目のゲート駆動ユニットにおける第３薄膜トランジスタＮＴ３及び第４薄膜トランジスタＮＴ４がオンにされ、前記ハイレベルのクロック信号ＣＫが前記第３薄膜トランジスタＮＴ３及び第４薄膜トランジスタＮＴ４を介して第８薄膜トランジスタＮＴ８のゲートに流れ込み、前記第８薄膜トランジスタＮＴ８をオンにさせ、さらにローレベルの前記第１グローバル制御信号ＧＡＳ１が前記第１０薄膜トランジスタＮＴ１０のゲートに流れ込み、前記第１０薄膜トランジスタＮＴ１０がオフ状態にされ、前記１段目のゲート駆動ユニット及び前記２段目のゲート駆動ユニットの出力端に出力する信号がないことを理解できる。また、前記第２グローバル制御信号ＧＡＳ２がローレベル信号を維持するため、前記第１２薄膜トランジスタＮＴ１２がオフ状態を維持し、前記１段目のゲート駆動ユニット及び前記２段目のゲート駆動ユニットの出力端に出力する信号がない。したがって、前記１段目のゲート駆動ユニット及び前記２段目のゲート駆動ユニットにおいて、前記ハイレベルのクロック信号ＣＫのみが前記第９薄膜トランジスタＮＴ９を介して前記１段目のゲート駆動ユニット及び前記２段目のゲート駆動ユニットの出力端に流れ込み、前記１段目のゲート駆動ユニット及び前記２段目のゲート駆動ユニットにハイレベル信号を出力させる。
【００６１】
前記ディスプレイが画面を正常に表示する際に停電が発生した時の上記タイミング変化及びゲート駆動ユニットの出力信号の変化により、前記Ｎ段目のゲート駆動回路における前記第１薄膜トランジスタＮＴ１のゲート入力信号Ｇ（Ｎ−２）がハイレベルであると、前記第１薄膜トランジスタＮＴ１がオン状態にされ、第７薄膜トランジスタＮＴ７も前記ＶＧＨ信号でオン状態にされ、ハイレベルの前記順方向走査信号Ｕ２Ｄが前記第１薄膜トランジスタＮＴ１及び前記第７薄膜トランジスタＮＴ７を介して第９薄膜トランジスタＮＴ９のゲートに流れ込み、前記第９薄膜トランジスタＮＴ９をオンにさせ、さらに前記ハイレベルのクロック信号ＣＫ信号が前記第９薄膜トランジスタＮＴ９を介して前記１段目のゲート駆動ユニット及び前記２段目のゲート駆動ユニットの出力端に流れ込むことを理解できる。同様に分析してみると、前記逆方向走査信号Ｄ２Ｕがハイレベルに変換されるため、前記Ｎ段目のゲート駆動ユニットにおける第３薄膜トランジスタＮＴ３及び第４薄膜トランジスタＮＴ４がオンにされ、前記ハイレベルのクロック信号ＣＫが前記第３薄膜トランジスタＮＴ３及び第４薄膜トランジスタＮＴ４を介して第８薄膜トランジスタＮＴ８のゲートに流れ込み、前記第８薄膜トランジスタＮＴ８をオンにさせ、さらにローレベルの前記第１グローバル制御信号ＧＡＳ１が前記第１０薄膜トランジスタＮＴ１０のゲートに流れ込み、前記第１０薄膜トランジスタＮＴ１０がオフ状態にされ、前記Ｎ段目のゲート駆動ユニットの出力端に出力する信号がないことが分かる。また、前記第２グローバル制御信号ＧＡＳ２がローレベル信号を維持するため、前記第１２薄膜トランジスタＮＴ１２がオフ状態を維持し、前記Ｎ段目のゲート駆動ユニットの出力端に出力する信号がない。したがって、前記Ｎ段目のゲート駆動ユニットにおいて、前記ハイレベルのクロック信号ＣＫ（ｎ）のみが前記第９薄膜トランジスタＮＴ９を介して前記Ｎ段目のゲート駆動ユニットの出力端に流れ込み、前記Ｎ段目のゲート駆動ユニットにハイレベル信号を出力させる。
【００６２】
上記の推定から、停電時に、前記ゲート駆動回路における１段当たりのゲート駆動ユニットはいずれもハイレベル信号を出力することにより、停電時のＡｌｌ  Ｇａｔｅ  Ｏｎ機能を実現することが分かる。
【００６３】
本発明の実施例を実施することにより、液晶ディスプレイの停電時に、前記プルアップ制御モジュールはハイレベルの第１制御信号を生成し、前記プルアップ出力モジュールをオンにさせてハイレベルを出力するように制御し、同時に前記プルダウン制御モジュールはローレベルの第２制御信号を生成し、前記プルダウン出力モジュールをオフにさせて信号を出力しないように制御することにより、前記プルアップ出力モジュール及びプルダウン出力モジュールに接続された前記Ｎ段目のゲート駆動回路の出力端にプルアップ出力モジュールによって出力されたハイレベル信号を出力させることにより、停電時のＡｌｌ  Ｇａｔｅ  Ｏｎ機能を実現し、液晶パネルに停電が発生した場合に、ディスプレイにおける映像を速やかに消去させ、ディスプレイにおいて前の表示画面の残像の表示を防止する。
【００６４】
当業者にとっては、前記実施例を実現する方法における全て又は一部のフローが、コンピュータプログラムによって関連するハードウェアを命令して完成することができ、前記プログラムがコンピュータ読取可能な記録媒体に記憶され、該プログラムが実行されると、上記の各方法の実施例のフローを含んでもよいことを理解できる。前記記録媒体は磁気ディスク、光ディスク、読み出し専用記憶メモリ（Ｒｅａｄ−Ｏｎｌｙ  Ｍｅｍｏｒｙ，ＲＯＭ）又はランダムアクセスメモリ（Ｒａｎｄｏｍ  Ａｃｃｅｓｓ  Ｍｅｍｏｒｙ，ＲＡＭ）等であってもよい。
【００６５】
以上で開示されたものは、本発明の好ましい実施例にすぎず、本発明の保護の範囲がこれによって限定されないことが無論である。当業者は、上記の実施例の全部又は一部のフローを具現することを理解でき、本発明の特許請求の範囲によってなされる同等の変化は、依然として本発明が含まれる範囲に属する。
【図１】
2021502586.tif 000003
【図２】
2021502586.tif 000004
【図３】
2021502586.tif 000005
【国際調査報告】
2021502586.tif 000006
2021502586.tif 000007
2021502586.tif 000008
2021502586.tif 000009
2021502586.tif 000010